(57)【要約】【課題】通信機能を有する多機能画像形成装置であって、複数の機能の処理が競合した際に画像形成処理を優先してリアルタイム性を確保するものである。【解決手段】与えられた画像情報を記憶領域１２に格納し読み出してプリンタ部１７に転送する画像処理部１３，１５と、記憶領域に格納された所定情報を外部に転送するサーバ処理部１３，１４と、画像処理部の画像情報の転送処理と、サーバ処理部の所定情報の転送処理とが競合した際に、画像情報の転送処理を優先して処理するべく、画像処理部とサーバ処理部とを制御するコントローラ１１とを有する多機能画像形成装置。【選択図】    図１
2005038096.tif 000002
【特許請求の範囲】
【請求項１】
与えられた画像情報を記憶領域に格納し読み出してプリンタ部に転送する画像処理部と、
前記記憶領域に格納された所定情報を外部に転送するサーバ処理部と、
前記画像処理部の前記画像情報の転送処理と、前記サーバ処理部の前記所定情報の転送処理とが競合した際に、前記画像情報の転送処理を優先して処理するべく、前記画像処理部と前記サーバ処理部とを制御するコントローラとを具備することを特徴とする多機能画像形成装置。
【請求項２】
与えられた画像情報を記憶領域に格納し読み出してプリンタ部に転送し、
インターフェース部を介して取得した所定情報を前記記憶領域に格納し読み出して、外部に転送し、
前記画像情報の転送処理と、前記所定情報の転送処理とが競合した際に、前記画像情報の転送処理を優先して処理するべく、前記転送処理を制御することを特徴とする多機能画像形成装置の制御方法。
【請求項３】
少なくとも画像形成機能とサーバ機能とを備えた多機能画像形成装置であって、
原稿画像を読み取ることで前記画像データを供給するスキャナと、
読み取った前記画像データ、及び、Ｗｅｂ画像データファイルと表題ファイルとを格納するハードディスクドライブと、
前記表題ファイルを格納する記憶部と、
前記ハードディスクドライブに格納された前記画像データに基づいて、記録媒体上に画像形成を行うプリンタと、
前記Ｗｅｂ画像データファイルと前記表題ファイルとの一方又は両方を、ＬＡＮ（Ｌｏｃａｌ  Ａｒｅａ  Ｎｅｔｗｏｒｋ）を経由してクライアントＰＣ（Ｐｅｒｓｏｎａｌ  Ｃｏｍｐｕｔｅｒ）に供給するＬＡＮインターフェースと、
前記各部を制御して前記画像形成機能と前記サーバ機能とを実現するコントローラであって、前記画像形成機能と前記サーバ機能とが競合した場合は、前記ハードディスクドライブに格納された前記Ｗｅｂ画像データファイルと前記表題ファイルとを読み出すことなく、前記記憶部に格納された前記Ｗｅｂ情報の前記表題ファイルだけを、前記ＬＡＮインターフェースを用いて前記クライアントＰＣに供給することで、前記画像形成機能と前記サーバ機能とを両立するべく制御するコントローラと、
を具備することを特徴とする多機能画像形成装置。
【請求項４】
原稿画像を読み取ることで前記画像データを供給するスキャナと、これと前記プリンタに接続されるページメモリと、前記ページメモリと前記ハードディスクドライブとに接続されるハードディスクドライブ・インターフェースと、前記記憶部と前記ＬＡＮインターフェースとに接続されるディスクドライブ・インターフェースとを更に有しており、
更に、前記コントローラは、
前記スキャナが読み取った画像データを前記ページメモリへ一時的に蓄積した後、前記ページメモリから前記ハードディスクドライブ・インターフェースを経由して前記ハードディスクドライブへ画像データを画像データファイルとして書き込みを行い格納された後、
前記プリンタへ出力する順番でハードディスクドライブから前記画像データが読み出され、画像データとして前記ハードディスクドライブ・インターフェースを経由して前記ページメモリに転送し、一時的に蓄積され、前記プリンタに出力される一連の機能である複写機能のための、ハードディスクドライブとハードディスクドライブ・インターフェースとの間のデータ転送と、
前記ハードディスクドライブに格納されている前記画像データファイルを前記ハードディスクドライブ・インターフェースが読み出して、前記ＬＡＮ（ローカルエリアネットワーク）と前記ＬＡＮインターフェースを経由して前記クライアントＰＣに転送する一連の機能である前記サーバ機能によるハードディスクドライブとハードディスクドライブ・インターフェースの間のデータ転送が競合した際に、
前記サーバ機能はデータ転送を途中で中断して、複写機能によるデータ転送が実行されている間、データ転送は行わず、複写機能の実行が全て終了した後に、中断した前記サーバ機能のためのデータ転送を中断したファイルの初めから行うべく制御することと、
前記記憶部に格納された前記表題ファイルを、前記ディスクドライブ・インターフェースと前記ＬＡＮインターフェースを経由して前記クライアントＰＣに転送する、前記サーバ機能のためのデータ転送を行うべく制御することを特徴とする多機能画像形成装置。
【請求項５】
少なくとも複写機能とサーバ機能とを備えた多機能画像形成装置の制御方法であって、
原稿を読み取りその画像データを出力するスキャナと、読み取られた前記画像データ、及び、Ｗｅｂ画像データファイルと表題ファイルとを含むＷｅｂ情報とを格納するハードディスクドライブと、前記Ｗｅｂ情報の前記表題ファイルを格納する記憶部と、前記ハードディスクドライブに格納された前記画像データに基づいて、記録媒体上に画像形成を行うプリンタと、前記Ｗｅｂ情報の少なくとも一部を、ＬＡＮ（Ｌｏｃａｌ  Ａｒｅａ  Ｎｅｔｗｏｒｋ）を経由してクライアントＰＣ（Ｐｅｒｓｏｎａｌ  Ｃｏｍｐｕｔｅｒ）に供給するＬＡＮインターフェースとを有する多機能画像形成装置を制御するとき、
前記複写機能と前記サーバ機能とが競合した場合は、前記ハードディスクドライブに格納された前記Ｗｅｂ画像データファイルと前記表題ファイルとのデータ転送を中断し、
前記記憶部に格納された前記Ｗｅｂ情報の前記表題ファイルだけを、前記ＬＡＮインターフェースを用いて前記クライアントＰＣに供給することを特徴とする多機能画像形成装置の制御方法。
【発明の詳細な説明】
【０００１】
【発明の属する技術分野】
この発明は、多機能画像形成装置に関し、特に、複写機能とサーバ機能とを併せ持った多機能画像形成装置に関する。
【０００２】
【従来の技術】
最近、デジタル情報処理装置が多岐にわたり開発され普及する中で、画像形成装置についても、複写機能だけではなく、例えば、ＬＡＮ（Ｌｏｃａｌ  Ａｒｅａ  Ｎｅｔｗｏｒｋ）やインターネット等のネットワークへの通信機能を備えたものが製造され普及してきている。このような多機能画像形成装置では、画像形成処理を行いながら、例えば、ネットワークとの通信を行いながら、与えられた画像形成処理のジョブをも同時に行うものである。
【０００３】
これに関連した従来技術として、複数種類の機能を並列処理することが開示されている（例えば、特許文献１参照）。
【０００４】
【特許文献１】
特願２００１−１３６３２４号公報。
【０００５】
【発明が解決しようとする課題】
しかしながら、このような従来の多機能画像処理装置においては、処理の負担が重くなると、他の機能の処理のために本来の画像形成が十分に行われず、例えば、スキャナとプリンタを使用した複写機能についてリアルタイムの複写処理がなされず、操作性が著しく低下するという問題がある。
【０００６】
本発明は、通信機能を有する多機能画像形成装置であって、複数の機能の処理が競合した際に画像形成処理を優先して処理することで、画像形成処理のリアルタイム性を確保する多機能型画像形成装置及び多機能型画像形成装置の制御方法を提供することを目的とする。
【０００７】
【課題を解決するための手段】
本発明は、与えられた画像情報を記憶領域に格納し読み出してプリンタ部に転送する画像処理部と、前記記憶領域に格納された所定情報を外部に転送するサーバ処理部と、前記画像処理部の前記画像情報の転送処理と、前記サーバ処理部の前記所定情報の転送処理とが競合した際に、前記画像情報の転送処理を優先して処理するべく、前記画像処理部と前記サーバ処理部とを制御するコントローラとを具備することを特徴とする多機能画像形成装置である。
【０００８】
【発明の実施の形態】
以下、図面を用いて本発明に係る多機能画像形成装置の一例を詳細に説明する。
【０００９】
＜本発明に係る多機能画像形成装置＞
図１に本発明に係る多機能画像形成装置の構成を示すブロック図を示す。
【００１０】
本発明に係る多機能画像形成装置Ｍは、例えば、以下の５つの機能を備えているものである。すなわち、
（１）スキャナ１６で読み取った原稿の画像データをページメモリ１５とＨＤＤ−Ｉ／Ｆ１３を経由してＨＤＤ１２に格納する画像読取機構と、
（２）画像読取機構によりＨＤＤ１２に格納された画像データ、又はクライアントＰＣ３１からＬＡＮ３０とＬＡＮ−Ｉ／Ｆ１４とＨＤＤ−Ｉ／Ｆ１３を経由してＨＤＤ１２に格納された画像データをＨＤＤ−Ｉ／Ｆ１３とページメモリ１５を経由してプリンタ１７に出力する印刷機能と、
（３）画像読取機能とスキャナ１６で読取ってＨＤＤ１２に格納された画像データを出力する印刷機能を組み合わせてスキャナ画像データをプリンタ１２へ出力する複写（電子ソート）機能と、
（４）ＬＡＮ３０を経由して接続されるクライアントＰＣ３１にＨＤＤ１２に保管された画像データ（スキャナ読取画像）を転送するサーバ機能と、
（５）クライアントＰＣ３１からＬＡＮ３０を経由してプリンタ１７に出力する画像データをＨＤＤ１２に格納する印刷データ保管機能を有する多機能画像形成装置である。
【００１１】
このような本発明に係る多機能画像形成装置Ｍは、具体的な構造として、図１に示すように、全体の制御を行うコントローラ１１と、クライアントＰＣ３１、又はスキャナ１６から転送された画像データのファイルを格納する為のハードディスクドライブＨＤＤ１２と、ＨＤＤ１２に接続されるハードディスクドライブ・インターフェースＨＤＤ−Ｉ／Ｆ１３と、ＨＤＤ−Ｉ／Ｆ１３に接続され、画像データを一時的に格納する為のページメモリ１５を有している。更に、ページメモリ１５と接続して、スキャナ１６より読み取られた画像データ、又はＬＡＮ３０とＬＡＮインターフェースＬＡＮ−Ｉ／Ｆ１４とＨＤＤ−Ｉ／Ｆ１３を経由してクライアントＰＣ３１から転送された画像データを印刷する為のプリンタ１７を有している。
【００１２】
更に、本発明に係る多機能画像形成装置の特徴的な構造として、ＬＡＮ−Ｉ／Ｆ１４からディスク−Ｉ／Ｆ２１を経由して表題（ＨＴＭＬ形式）ファイルを格納するＲＡＭディスクまたはシリコンディスク２２を備えており、後述する制御方法により、ＲＡＭディスクまたはシリコンディスク２２を用いて表題ファイルのみを供給することで、二つの機能が競合した場合も、複写機能とサーバ機能とを両立させるものである。
【００１３】
（多機能画像形成装置の動作）
複写（電子ソート）とサーバ機能の実行に際して、ＨＤＤ１２に格納する画像データのファイルやＨＤＤ１２格納された画像データのファイルをＷｅｂブラウザでクライアントＰＣ３１から参照できる様にする為のＨＴＭＬ形式で記述された表題のファイルの転送処理が発生する。
【００１４】
これらのファイル転送処理は、主に、複写（電子ソート）処理と、サーバ機能であるＷｅｂアクセス（ファイル選択、ファイル転送）処理とがある。
【００１５】
すなわち、複写（電子ソート）処理とは、スキャナ１２で読取られた画像データをページメモリ１５に転送し、ページメモリ１５の画像データをＨＤＤ−Ｉ／Ｆ１３を経由してＨＤＤ１２に画像データファイルとして転送、格納した後、ソートして印刷する順番に従い、ＨＤＤ１２から画像データファイルを読出し、ＨＤＤ−Ｉ／Ｆ１３を経由して、ページメモリ１５に転送、ページメモリ１５に転送された画像データをプリンタ１７に出力する処理である。
又、サーバ機能であるＷｅｂアクセス（ファイル選択）は、ＨＤＤ１２に格納された画像データファイル（スキャナ読取り画像、クライアントＰＣ３１から転送された画像データ）をクライアントＰＣのＷｅｂブラウザから選択することができる様にする為の表題（ＨＴＭＬ形式）ファイルの転送処理である。
【００１６】
更に、サーバ機能であるＷｅｂアクセス（ファイル転送）は、スキャナで読取った画像データファイル（ＢＭＰ、ＴＩＦＦ、ＧＩＦファイル形式）をクライアントＰＣへ転送する処理である。
【００１７】
図４は、サーバ機能であるＷｅｂアクセス（ファイル選択、ファイル転送）を示しており、サーバ機能であるＷｅｂアクセス（ファイル選択、ファイル転送）期間ＴＷにおいて、ＨＤＤ１２への１２回のアクセスが専有的に行われ１２回のファイルデータの転送が示されている。
【００１８】
又、図５は、複写（電子ソート）期間Ｔｃにおいて、複写（電子ソート）の為のＨＤＤ１２への３回のアクセスが専有的に行われ、３回のファイルデータの転送が示されている。
【００１９】
しかし、ここでサーバ機能であるＷｅｂアクセス（ファイル選択、ファイル転送）ＴＷと複写（電子ソート）Ｔｃとについて競合が発生した場合、複写（電子ソート）が優先的に制御されていないと、図６に示す様に、Ｗｅｂアクセス（ファイル選択、ファイル転送）のＨＤＤアクセス期間ＴＨＷの間に複写（電子ソート）のＨＤＤアクセス期間ＴＨＣが行われることとなる。このときの本発明に係る処理を行わない場合の多機能画像形成装置の構成を示すブロック図を図７に示す。
【００２０】
この結果、二つが複合したＨＤＤアクセス（複合）ＴＨＷＣでは、二つのファイル転送処理が混在することになり、サーバ機能であるＷｅｂアクセス（ファイル選択、ファイル転送）期間ＴＷについては、実線の期間Ｅが破線の期間Ｆへと延長し、複写処理（電子ソート）期間Ｔｃについては、実線の期間Ｇが破線の期間Ｈへと延長することとなるので、複写（電子ソート）期間ＴＣについては、リアルタイムの実行（期間Ｇの間で複写（電子ソート）が終了することを示す）を行うことができなくなる。
【００２１】
本発明に係る多機能画像形成装置においては、ＲＡＭディスク等２２と以下に述べる制御手順により、サーバ機能であるＷｅｂアクセス（ファイル転送）の為のＨＤＤアクセスと複写（電子ソート）の為のＨＤＤアクセスが競合した場合であっても、常に、複写（電子ソート）が遅延のないリアルタイム性を損なわない処理とＷｅｂアクセス（ファイル選択）を両立させるものである。
【００２２】
（本発明に係る多機能画像形成装置に特有の処理動作）
本発明に係る多機能画像形成装置においては、コントローラ１１の制御下の元で、ＲＡＭディスク又はシリコンディスク２２による記録領域を設け、一般には、ＨＤＤ１２に一緒に格納していた表題（ＨＴＭＬ形式）ファイルと画像ファイル（ＢＭＰ、ＴＩＦＦ、ＧＩＦ等の画像データ形式）とを分離して、表題（ＨＴＭＬ形式）ファイルをＲＡＭディスク又はシリコンディスク２２に格納し、画像データファイルをＨＤＤ１２に格納する。
【００２３】
サーバ機能はクライアントＰＣ３１がＲＡＭディスクまたはシリコンディスク２２から表題（ＨＴＭＬ形式）ファイルをＷｅｂアクセス（ファイル選択）により、ディスク−Ｉ／Ｆ２１、ＬＡＮ−Ｉ／Ｆ１４を経由して入手することにより、ＨＤＤ１２格納されている画像データファイル（ｆｉｌｅ１、ｆｉｌｅ２、ｆｉｌｅ３、ｆｉｌｅＣ）を選択する。ここで、表題（ＨＴＭＬ形式）ファイルはＨＴＭＬ形式により記述されたファイルであり、ＨＤＤ１２に格納されている画像データファイル（ｆｉｌｅ１、ｆｉｌｅ２、ｆｉｌｅ３、ｆｉｌｅＣ）の格納場所が記載されている。
【００２４】
次に、選択された画像データファイルはＨＤＤ１２からＨＤＤ−Ｉ／Ｆ１３、ＬＡＮ−Ｉ／Ｆ１４を経由してＬＡＮ３０を通じてクライアントＰＣ３１に転送される。
【００２５】
サーバ機能の処理（Ｗｅｂアクセス（ファイル選択、ファイル転送）と複写（電子ソート）のＨＤＤ１２へのアクセスが競合した場合は、Ｗｅｂアクセス（ファイル転送）によるＨＤＤ１２からの画像データファイルの読出しを行わず、ＲＡＭディスクまたはシリコンディスク２２から表題（ＨＴＭＬ形式）ファイルの読出しだけが行われる。複写（電子ソート）によるＨＤＤ１２へのアクセスは行われる。
【００２６】
次に、複写処理のＨＤＤアクセスである複写（電子ソート）とＨＤＤ１２からのファイル転送であるＷｅｂアクセス（ファイル転送）が競合した場合のＨＤＤ１２へのアクセスタイミングについて説明する。
【００２７】
図６で示した複写（電子ソート）処理の遅延によるリアルタイム性が確保できなくなることを解消するべく、複写処理の為のＨＤＤ１２からのファイル転送である複写（電子ソート）を優先して処理するべく、コントローラ１１により動作タイミングを制御している。
【００２８】
図２はＷｅｂアクセス（ファイル転送）と複写（電子ソート）が競合した場合のＨＤＤ１２へのアクセスタイミングを示しており、複写処理が優先されるため、複写（電子ソート）期間中は、複写（電子ソート）のＨＤＤアクセスのみが行われる。
【００２９】
図２のＨＤＤアクセス（複合）ＴＨＷＣにおいて、サーバ機能であるＷｅｂアクセス（ファイル転送）のためのファイルデータ転送が４回そのまま行われるが、複写（電子ソート）期間ＴＨＣにおいては、複写（電子ソート）の為の３回のファイルデータ転送のみが行われ、その後、８回のＷｅｂアクセス（ファイル転送）の為のファイルデータ転送が行われる。この結果、Ｗｅｂアクセス（ファイル転送）期間ＴＷは、実線Ａから破線Ｂへと延長されるが、複写（電子ソート）期間ＴＣは、延長されることがないので、複写（電子ソート）のリアルタイム性が確保されることとなる。
【００３０】
ここで、両者の動作タイミングは、サーバ機能であるＷｅｂアクセス（ファイル転送）の４回目のファイルデータ転送が終了した後に、複写（電子ソート）の為の１回目のファイルデータ転送が始まっている。従って、複写（電子ソート）の為のファイルデータ転送が終了した後は、Ｗｅｂアクセス（ファイル転送）の５回目のファイルデータ転送が再開されるものである。
【００３１】
以上の制御により、複写（電子ソート）期間は、サーバ機能であるＷｅｂアクセス（ファイル転送）処理が競合した場合も、競合がなくＨＤＤ１２を専有的にアクセスした場合と同様に実行される為、リアルタイム性が損なわれることなく実行することが可能となる。
【００３２】
更に、図３では、サーバ機能であるＷｅｂアクセス（ファイル転送）の為のファイルデータ転送が一つのファイルデータ転送中に中断した場合を示している。
【００３３】
サーバ機能であるＷｅｂアクセス（ファイル転送）の為の４回目のファイルデータ転送の途中で、複写のための複写（電子ソート）期間ＴＨＣのファイルデータ転送が発生している為、Ｗｅｂアクセス（ファイル転送）の為の４回目のファイルデータ転送は不完全なまま中断し、複写（電子ソート）のＨＤＤアクセス期間ＴＨＣの１回目のファイルデータ転送へとアクセスを引き渡す。
【００３４】
以降、複写（電子ソート）ＨＤＤアクセスの３回分のファイルデータ転送が終了するまでは、サーバ機能であるＷｅｂアクセス（ファイル転送）のＨＤＤアクセスは保留される。そして、複写（電子ソート）ＨＤＤアクセス最後のファイルデータ転送のアクセス（３）の終了後に、中断されたＷｅｂアクセス（ファイル転送）の４回目のファイルデータ転送が、初めから再開され、以降、Ｗｅｂアクセス（ファイル転送）のファイルデータ転送のＨＤＤアクセスが続行される。
【００３５】
ここで、サーバ機能であるＷｅｂアクセス（ファイル転送）の４回目のＨＤＤアクセスを中断するのは複写（電子ソート）のファイルデータ転送のＨＤＤアクセス開始を遅らせない為である。
【００３６】
以上の制御により、複写（電子ソート）期間は、ＨＤＤ１２に専有的にアクセスした場合と同等の処理期間である複写（電子ソート）期間Ｔｃとなり、リアルタイム性が損なわれることなく実行することが可能となる。
【００３７】
一方、サーバ機能であるＷｅｂアクセス（ファイル転送）期間ＴＷは実線の期間Ｃから破線の期間Ｄへと遅延が発生している為、クライアントＰＣ３１からＷｅｂアクセス（ファイル転送）はファイル転送の時間待ち、又は、ファイル転送の停止状態になるが、ＲＡＭディスクまたはシリコンディスク２２に保存されている表題（ＨＴＭＬ形式）ファイルの転送はできるので、クライアントＰＣ３１からのアクセスは完全には停止することはない。
【００３８】
本発明においてはサーバ機能であるＷｅｂアクセス（ファイル選択、ファイル転送）と複写（電子ソート）とが競合した場合を説明したが、サーバ機能であるＷｅｂアクセス（ファイル選択、ファイル転送）と、スキャナ１６で読み取った原稿の画像データをページメモリ１５とＨＤＤ−Ｉ／Ｆ１３を経由してＨＤＤ１２に格納する画像読取機構との競合においても画像読取機構のＨＤＤ１２へのアクセスを複写（電子ソート）によるアクセスと同じ扱いとして制御しても同様の効果を提供することが可能となる。
【００３９】
同様に複写（電子ソート）の代わりに、画像読取機構によりＨＤＤ１２に格納された画像データ、又は、クライアントＰＣ３１からＬＡＮ３０とＬＡＮ−Ｉ／Ｆ１４とＨＤＤ−Ｉ／Ｆ１３を経由してＨＤＤ１２に格納された画像データをＨＤＤ−Ｉ／Ｆ１３とページメモリ１５を経由してプリンタ１７に出力する印刷機能で行った場合にも同様の効果を提供することが可能となる。
【００４０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００４１】
【発明の効果】
以上詳述したように本発明によれば、サーバ機能であるＷｅｂアクセス（ファイル選択、ファイル転送）と複写（電子ソート）とが競合した場合でも、複写（電子ソート）のリアルタイム性を損なうことなく実行することができ、クライアントＰＣ上の表示を停止させることなく動作させることができる多機能画像形成装置を提供することが可能となる。
【図面の簡単な説明】
【図１】本発明に係る多機能画像形成装置の構成を示すブロック図。
【図２】本発明に係る多機能画像形成装置において、複写（電子ソート）とサーバ機能であるＷｅｂアクセス（ファイル転送）とが競合した場合に、複写（電子ソート）を優先させる処理の一例を説明する第１のタイミングチャート。
【図３】本発明に係る多機能画像形成装置において、複写（電子ソート）とサーバ機能であるＷｅｂアクセス（ファイル転送）とが競合した場合に、複写（電子ソート）を優先させる処理の一例を説明する第２のタイミングチャート。
【図４】本発明に係る多機能画像形成装置において、本発明に係る処理を行わない場合のサーバ機能であるＷｅｂアクセス（ファイル転送）を説明するタイミングチャート。
【図５】本発明に係る多機能画像形成装置において、本発明に係る処理を行わない場合の複写（電子ソート）を説明するタイミングチャート。
【図６】本発明に係る多機能画像形成装置において、本発明に係る処理を行わない場合の複写（電子ソート）とサーバ機能であるＷｅｂアクセス（ファイル転送）とが競合した場合を説明するタイミングチャート。
【図７】本発明に係る処理を行わない場合の多機能画像形成装置の構成を示すブロック図。
【符号の説明】
１１…コントローラ、１２…ＨＤＤ、１３…ＨＤＤインターフェース、１４…ＬＡＮインターフェース、１５…ページメモリ、１６…スキャナ、１７…プリンタ、２１…ディスクインターフェース、３０…ＬＡＮ、３１…クライアントＰＣ。
【図１】
2005038096.tif 000003
【図２】
2005038096.tif 000004
【図３】
2005038096.tif 000005
【図４】
2005038096.tif 000006
【図５】
2005038096.tif 000007
【図６】
2005038096.tif 000008
【図７】
2005038096.tif 000009